(57)【要約】【課題】  従来の種類のものを改良したケーブル結束具を提供する。  【解決手段】  本発明はケーブル結束具に関し、これは一定の幅と厚さの細長状帯部（２）を有し、帯部の一端は当該帯部（２）よりも幅狭な細長状挿入部（２ａ）を有し、また帯部（２）の他端は固定ヘッド（３）を有する。固定ヘッド（３）は、一方で帯部（２）の貫通穴（４）を備え、他方で穴（４）の一つの横断壁にあるスリット（５）を備えており、穴（４）は帯部（２）とほぼ同幅で、帯部の厚さよりも大きな高さを有し、スリット（５）は、このスリットを通って挿入部（２ａ）が穴に挿入され、帯状ループを形成できる幅を有する。舌片（６）は、固定ヘッド（３）に帯部（２）を固定するのに設けられ、穴（４）の一端から他端へスリット（５）に向けて延びる。そして、固定ヘッド（３）を補強する薄板金属製の挿入体（７）が、固定ヘッドに組み込まれる。
2006518692.tif 000002
【特許請求の範囲】
【請求項１】
一定の幅と厚さを有する細長状の帯部（２）を備え、
この帯部（２）の一端には当該帯部（２）よりも幅の狭い細長状の挿入部（２ａ）を有すると共に、前記帯部（２）の他端には固定ヘッド（３）を有し、
前記固定ヘッド（３）は、その一方で帯部（２）に貫通する穴（４）を備えると共に、他方で前記穴（４）の一つの横断壁にあるスリット（５）を備えており、
前記穴（４）は、帯部（２）とほぼ同じ幅で、この帯部（２）の厚さよりも大きな高さを有し、
前記スリット（５）は、このスリット（５）を通って前記挿入部（２ａ）が穴（４）に挿入され、帯状のループを形成できるような幅を有しており、
前記穴（４）の一端から他端へ前記スリット（５）に向けて延び、前記固定ヘッド（３）に対して前記帯部（２）を固定するのに設けられた舌片（６）を有するケーブル結束具において、
前記固定ヘッド（３）を補強する薄板金属製の挿入体（７）を、当該固定ヘッド（３）に組み込んだことを特徴とするケーブル結束具。
【請求項２】
前記挿入体（７）は、前記固定ヘッド（３）の穴（４）と形状が一致することを特徴とする請求項１に記載のケーブル結束具。
【請求項３】
前記舌片（６）が前記挿入体（７）と一体に形成されることを特徴とする請求項１または２に記載のケーブル結束具。
【請求項４】
前記固定ヘッド（３）は、技術的に知られている方法で、前記スリット（５）の端部に沿って、前記貫通穴（４）に向けて延びるフランジ（３ｂ）を備え、このフランジ（３ｂ）は、前記帯部（２）の対応する溝（２ｂ）と接触するように設けられることを特徴とする請求項１または２に記載のケーブル結束具。
【請求項５】
前記挿入体（７）は、前記固定ヘッド（３）のフランジ（３ｂ）を補強すると共に、前記帯部（２）の溝（２ｂ）と接触する金属製の対応するフランジ（７ａ）が形成されることを特徴とする請求項４に記載のケーブル結束具。
【請求項６】
前記挿入体（７）は、前記スリット（５）の端部に沿って、前記貫通穴（４）に向けて延びるフランジ（７ａ）を備え、このフランジ（７ａ）は、前記帯部（２）の対応する溝（２ｂ）と接触するように設けられることを特徴とする請求項１または２に記載のケーブル結束具。
【発明の詳細な説明】
【技術分野】
【０００１】
本発明は、請求項１の前節にあるケーブル結束具に関する。
【背景技術】
【０００２】
こうしたケーブル結束具（ケーブルタイ）は、例えばスウェーデン国特許出願公開第９９０３３７８−９ Ｃ２号（特許文献１）に予め開示されている。
【０００３】
この種の結束具の利点は、帯部の狭い部分を固定ヘッドのスリットを通して貫通穴に案内することにより、結束ループを素早く簡単に形成できることにある。こうしたスリットを備えた開放固定ヘッドとも称される固定ヘッドの欠点は、固定ヘッドの壁部の厚さと一般的な温度とによって、固定ヘッドがこれ以上帯部を保持できない力が決定されることである。すなわち、この種のケーブル結束具はプラスチック材料からなるので、自身の保持能力を失うような危険性を伴わずにケーブル結線具が利用できるような温度下で、その極限が必然的に置かれることになる。
【０００４】
前記スウェーデン国特許出願公開第９９０３３７８−９ Ｃ２号のケーブル結束具は、固定ヘッドの貫通穴に向けて突出した釘形の突起が、帯部の各端部に沿って形成した対応する溝と、どのようにして係合できるのかが開示されており、このケーブル結束具を壊して開けるためには、前述の力を増大させることが必要とされる。
【特許文献１】スウェーデン国特許出願公開第９９０３３７８−９ Ｃ２号
【発明の開示】
【発明が解決しようとする課題】
【０００５】
本発明の目的は、上述した種類のものを改良したケーブル結束具を提供することにある。
【課題を解決するための手段】
【０００６】
上記目的は、請求項１の後段部分に規定された特徴部分を有する機構により達成される。
【発明を実施するための最良の形態】
【０００７】
以下、本発明に基づくケーブル結束具の実施形態を図の形態で示した添付図面を参照して、より詳細に本発明が記述されるであろう。
【０００８】
具体的には、図１は第１実施形態のケーブル結束具における平面図であり、図１ａはケーブル結束具の固定ヘッドの詳細図であり、図１ｂはケーブル結束具の帯部を固定ヘッドに挿入した状態での、ケーブル結束具の固定ヘッドの詳細図である。図２および図２ａは、固定ヘッドの断面平面図と部分断面斜視図をそれぞれ示しており、この固定ヘッドは、本発明に基づく薄板金属製の挿入体と一体に形成したケーブル結束具の固定用舌片を備えている。図２ｂは、本発明に基づく薄板金属製の挿入体における工程前の素材の例を示し、また図２ｃは図２ｂに基づく工程前の素材の斜視図を示しており、この工程前の素材は、開放固定ハウジングと接触するように設計されている。図３は本発明に基づく挿入体を備えたケーブル結束具の別な実施態様の平面図を示しており、また図３ａは、図３に示すケーブル結束具における固定ヘッドの詳細図で、この図では帯部が固定ヘッドに挿入されている。
【０００９】
図１に示すケーブル結束具は、一様に符号１で示されているが、これは一定の幅と厚さを有する細長状の帯部２を備えている。帯部２の一端は、この帯部２よりも幅の狭い挿入部２ａを有する。挿入部２ａは、握り用の摘み２ａ１をその終端としている。帯部２の他端は固定ヘッド３を有し、これは一方では帯部２に貫通する穴４を備えていると共に、他方では前記穴４の一つの横断壁にあるスリット５を備えている。穴４は帯部２とほぼ同じ幅で、しかも帯部２の厚さよりも大きな高さを有している。スリット５は、このスリット５を通って挿入部２ａが穴４に挿入され、帯状のループを形成できるように、その幅が形成される。固定ヘッド３の、より明確には穴４内には、穴４の一端からこの穴４に対してスリット５に向けて斜めに延びる固定用の舌片６がある。この舌片６は、帯部を貫通孔４に挿入したときに、固定ヘッドに対して帯部２を固定するために設けられる。
【００１０】
本発明の特徴となる薄板金属製の挿入体７は、好ましくはステンレス製のシートであって、スリット５を拡げようとし、その結果として帯部２が舌片６から離脱するような危険をもたらす力に対して、固定ヘッド３がより影響を受けにくくなるように機能する。図１，図１ａおよび図１ｂに示す実施形態では、この挿入体が固定ヘッド３と一体的に形成されており、好ましくは技術的に知られていて、帯部２の対応する溝に接触するように設けられた溝を有している。挿入体７は、固定ヘッド３の貫通孔４と形状が一致する。この挿入体７は、好ましくは固定ヘッド３を形成する材料によって、その内側が被覆されるように組み込まれるが、挿入体７の別な実施形態では、挿入体７の内側が露出するように組み込まれる。
【００１１】
図２に基づく実施態様では、本発明における個々の特徴からも明らかなように、挿入体７と一体に形成される舌片６を備えている。こうした薄板金属製の舌片６であれば、舌片６’と帯部との間の係合をより劣化させることなく、帯部２の溝を省略若しくは少なくとも簡素化できる。それは言い換えれば、より簡素な製造工程と、安価なケーブル結線具を意味することになる。
【００１２】
図２ｂおよび図２ｃを参照すると、ここでの例は、本発明に基づく挿入体７がどのようにして製造されるのかを記述しており、さらに図２ａは、挿入体７がどのようにして固定ヘッド３に挿入されるのかを示している。図２ｂに基づく打ち抜き形成された薄板金属からなる工程前の素材から開始して、点線に沿って折曲げ作業が段階的に行なわれ、図２ａに示す挿入体が得られる。打ち抜きと折曲げの各作業を一続きの生産用冶具で行なえることで、結果的に自動化がなされ、高いコスト効果をもたらすことは、当業者であれば明らかであろう。挿入体７は、ケーブル結束具を製造するのと同時に固定ヘッドに導入されるが、これはインジェクション成形によって行なわれる。
【００１３】
図２ａから理解されるように、挿入体７は固定ヘッドにしっかりとアンカー固定されるが、とりわけ固定ヘッド３には、帯部２を締めて固定したときに、舌片６を保持するように設けた舌片６'用の断面部３ａがあることに留意しなければならない。しかしながら、舌片６のロッキング（固定）機能に対して、この断面部３ａはそれほど重要なものではない。
【００１４】
図３および図３ａに示した本発明に基づくケーブル結束具の実施態様において、固定ヘッドと挿入体はフランジ３ｂ，７ａをそれぞれに有しており、これらのフランジ３ｂ，７ａは、貫通孔４に向けて突出しながら、スリット５の端部に沿って延びている。またフランジ３ｂ，７ａは、帯部２が穴４に挿入されるときに、対応する溝２ｂと接触するように設けられるが、これは帯部２と固定ヘッド３との間の係合が失われる危険を伴ないながら、スリット５が拡げられることなく、こうした応力に対処して、固定ヘッド３の能力をさらに増大させるためにある。
【００１５】
図３および図３ａに示すフランジ３ｂ，７ａを備えた実施態様では、固定ヘッドと一体的に形成した、すなわちプラスチックからなる舌片６を備えてもよいし、さもなければ挿入体７と一体的に形成した、すなわち金属板からなる舌片６を備えてもよいことが理解されるであろう。
【００１６】
別な実施態様では、各フランジ３ｂを省略して、挿入体７と一体に形成した各フランジ７ａだけで、各溝２ｂの係合を維持するようにしてもよい。
【００１７】
さらに別な実施態様では、各フランジ７ａを省略して、各フランジ３ｂだけで、各溝２ｂの係合を維持するようにしてもよい。
【図面の簡単な説明】
【００１８】
【図１】第１実施形態のケーブル結束具における平面図である。
【図１ａ】ケーブル結束具の固定ヘッドの詳細図である。
【図１ｂ】ケーブル結束具の帯部を固定ヘッドに挿入した状態での、ケーブル結束具の固定ヘッドの詳細図である。
【図２】固定ヘッドの断面平面図である。
【図２ａ】固定ヘッドの部分断面斜視図である。
【図２ｂ】本発明に基づく薄板金属製の挿入体における工程前の素材の例を示す図である。
【図２ｃ】図２ｂに基づく工程前の素材の斜視図である。
【図３】本発明に基づく挿入体を備えたケーブル結束具の別な実施態様の平面図である。
【図３ａ】図３に示すケーブル結束具における固定ヘッドの詳細図である。
【符号の説明】
【００１９】
２  帯部
２ａ  挿入部
２ｂ  溝
３  固定ヘッド
３ｂ，７ａ  フランジ
４  貫通穴（穴）
５  スリット
６  舌片
７  挿入体
【図１】
2006518692.tif 000003
【図２】
2006518692.tif 000004
2006518692.tif 000005
【図３】
2006518692.tif 000006
【国際調査報告】
2006518692.tif 000007
2006518692.tif 000008